(57)【特許請求の範囲】
【請求項１】
竿体に設けられリールを取付可能なリールシートであって、
前記竿体の周面に設けられ前記リールの脚部の一端を覆うようにして係止可能な固定フードと、前記固定フードに隣接して軸方向に伸び前記リールの脚部を載置可能な載置部と、前記載置部の左右両側に一体的に設けられ、前記リールの幅方向への移動を規制するための突起部と、前記載置部に形成された雄ネジ部と、前記雄ねじ部の左右両側面に形成された係止溝とを有する本体部と、
前記固定フードに対向して配置され、前記リールの脚部の他端を覆うようにして係止可能な移動フードと、周方向に回転しないように前記係止溝に係止される係止突起とを有し、前記雄ネジ部の外周に軸方向に移動可能かつ回転不能に装着される移動シート部と、
前記雄ネジ部に螺合可能な雌ねじ部を有し、前記移動シートと一体で軸方向に移動可能でありかつ移動シート部に対して相対回転可能なナット部と、
前記移動フード及び／または固定フードの内側に一端が固定され、前記移動フード及び／または固定フードと前記リールの脚部との間に配置され、他端に割り溝が形成された合成樹脂製の薄板状の緩衝部材とを備え、
前記緩衝部材の前記割り溝は、幅方向中央付近に前記他端側から軸方向に形成されているものである
ことを特徴とするリールシート。
【請求項２】
竿体に設けられリールを取付可能なリールシートであって、
前記竿体の周面に設けられ前記リールの脚部の一端を覆うようにして係止可能な固定フードと、前記固定フードに隣接して軸方向に伸び前記リールの脚部を載置可能な載置部と、前記載置部の両側面に軸方向に形成された一対のレール部とを有する本体部と、
前記レール部に沿って軸方向に滑動可能に形成され、前記リールの脚部の他端を覆うようにして係止可能な移動フードと、
前記移動フードを前記載置部の所定の位置に固定する固定機構と、
前記移動フード及び／または固定フードの内側に一端が固定され、前記移動フード及び／または固定フードと前記リールの取付脚との間に配置されて、他端に割り溝が形成された合成樹脂製の薄板状の緩衝部材とを備え、
前記移動フードには、前記リールの脚部を覆う竿元側に、前記固定機構の係止部が形成されており、
前記緩衝部材の前記割り溝は、幅方向中央付近に前記他端側から軸方向に形成されているものである
ことを特徴とするリールシート。
【発明の詳細な説明】
【０００１】
【発明の属する技術分野】
本発明は、釣竿の竿体外周面に設けられリールを取付可能なリールシートに関する。
【０００２】
【従来の技術】
釣竿には、スピニングリール，両軸受けリール等の釣り用リールを取り付けるためのリールシートが設けられている。ある種のリールシートは、釣り用リールの脚部の一端を係止する第１係止部と雄ネジ部とを有する本体部と、移動シート部と、ナット部とを有している。この移動シート部はリールの脚部の他端を係止する第２係止部を有し、シート本体に対して相対移動可能である。ナット部は雄ネジ部に螺合して移動シート部を移動させる。
【０００３】
このようなリールシートでは、リールの脚部の一端を本体部の第１係止部に係止した状態でナット部を回転させて、移動シート部を第１係止部に接近させて、移動シート部の第２係止部でリールの脚部の他端を係止しかつ第１及び第２係止部でリールの脚部を挟持してリールを釣竿に固定する。
【０００４】
また、他種のリールシートは、リールの脚部の一端を係止する第１係止部とレール部とを有する本体部と、レール部を移動可能な移動シート部と、移動シートを任意の箇所で本体部に固定可能な固定手段とを有している。そして、この移動シート部はリール脚部の他端を係止する第２係止部を有している。
【０００５】
このようなリールシートでは、リールの脚部の一端を本体部の第１係止部に係止した状態で移動シート部を軸方向に移動させて、第２係止部でリールの脚部の他端を係止しかつ第１及び第２係止部でリールの脚部を挟持してリールを釣竿に固定する。
【０００６】
【発明が解決しようとする課題】
釣竿のリールシートは、ユーザが所持する様々なリールを取り付けるものであり、特有のリール専用に設けられたものではない。このため、フード状の第１係止部及び第２係止部でリールの脚部を係止した場合に、リールの脚部とフードとの間に隙間や段が生じる恐れがある。魚を釣り上げる際にリール及びリールシートには大きな力が加わるので、この多少の隙間によりリールのがたつきが生じて、リールの脚部とリールシートとに損傷が生じる場合も考えられる。このため、第１係止部及び第２係止部のフード状部分の内側のリールの脚部と直接接触する箇所には、リールシート及びリールの脚部をそれぞれ保護するために合成樹脂製の緩衝部材が固定されている。
【０００７】
しかし、従来の緩衝部材はフード状部分の内側に完全に固定されており、大きな力が加わった場合に、この緩衝部材自体が破損してしまう場合がある。また、ナット部を強く締め込む等して第２係止部を第１係止部に強く接近させてリールの脚部を強く挟持した際にも、この緩衝部材を破損してしまう場合がある。さらにまた、リールをリールシートに取り付けたまま釣竿を落とした場合などにも、この緩衝部材を破損してしまう場合がある。
【０００８】
本発明の課題は、リールのがたつきを抑えかつ耐久性に優れ、リールを容易に取付可能なリールシートを提供することにある。
【００１２】
【課題を解決するための手段】
発明１に係るリールシートは、竿体に設けられリールを取付可能なリールシートであって、竿体の周面に設けられリールの脚部の一端を覆うようにして係止可能な固定フードと、固定フードに隣接して軸方向に伸びリールの脚部を載置可能な載置部と、載置部の左右両側に一体的に設けられ、リールの幅方向への移動を規制するための突起部）と、載置部に形成された雄ネジ部と、前記雄ねじ部の左右両側面に形成された係止溝とを有する本体部と、固定フードに対向して配置され、リールの脚部の他端を覆うようにして係止可能な移動フードと、周方向に回転しないように係止溝に係止される係止突起とを有し、雄ネジ部の外周に軸方向に移動可能かつ回転不能に装着される移動シート部と、雄ネジ部に螺合可能な雌ねじ部を有し、移動シート部と一体で軸方向に移動可能でありかつ移動シート部に対して相対回転可能なナット部と、移動フード及び／または固定フードの内側に一端が固定され、移動フード及び／または固定フードとリールの脚部との間に配置され、他端に割り溝が形成された合成樹脂製の薄板状の緩衝部材とを備え、前記緩衝部材の前記割り溝は、幅方向中央付近に前記他端側から軸方向に形成されているものであることを特徴とする。
【００１３】
この場合には、リールの脚部の一端を固定フードに係止させながらリールの脚部を載置部に配置する。そして、移動フードを移動させながら移動フードでリールの脚部の他端を係止し、固定機構で移動フードを固定する。また、固定フード及び／または移動フード内には緩衝部材が配置されており、リールの脚部のがたつきを十分に抑えている。
ここで、緩衝部材は一部のみが固定されており、他の部分はリールの脚部からの力を受けるとその力を適度に吸収して遊動するので、大きな力がリールに加わった場合にも緩衝部材が破損することはない。また、リールを取り付ける際に移動シートを強く移動させて固定フードに近づけすぎても、緩衝部材を破損することはない。
また、リールの脚部の一端を固定フードに係止させながらリールの脚部を本体部の載置部に配置する。ここで、ナット部の雌ねじ部を本体部の雄ネジ部に螺合させて一方向に回転させると、ナット部に押されて移動シート部が固定フードに接近する。そして、移動フードがリールの脚部の他端を覆うようにして係止し、固定フード及び移動フードの２つのフードで脚部を挟持する。この際に、固定フード及び／または移動フードの内側に配置された緩衝部材が、リールシートをリールの脚部に十分に固定すると共にリールシート及びリールの脚部が互いに損傷するのを抑えている。ここで、ナット部を強く螺合させて移動シート部を固定フードに接近させすぎてしまっても、緩衝部材の他端は固定フード及び／または移動フードに固定されておらず割り溝が形成されているので、緩衝部材が破損してしまうことはない。また、リールをリールシートに固定したまま釣竿をおとしてしまっても、緩衝部材を損傷することもない。
【００１４】
発明２にかかるリールシートは、竿体に設けられリールを取付可能なリールシートであって、竿体の周面に設けられリールの脚部の一端を覆うようにして係止可能な固定フードと、固定フードに隣接して軸方向に伸びリールの脚部を載置可能な載置部と、載置部の両側面に軸方向に形成された一対のレール部とを有する本体部と、レール部に沿って軸方向に滑動可能に形成され、リールの脚部の他端を覆うようにして係止可能な可能フードと、移動フードを載置部の所定の位置に固定する固定機構と、移動フード及び／または固定フードの内側に一端が固定され、移動フード及び／または固定フードとリールの取付脚との間に配置されて、他端に割り溝が形成された合成樹脂製の緩衝部材とを備え、前記移動フードには、前記リールの脚部を覆う竿元側に、前記固定機構の係止部が形成されており、前記緩衝部材の前記割り溝には、幅方向中央付近に前記他端側から軸方向に形成されているものであることを特徴とする。
【００１５】
この場合には、リールの脚部の一端を固定フードに係止させながらリールの脚部を本体部の載置部に配置する。ここで、移動フードを溝部に沿って固定フード側へ移動させて、移動フードでリールの脚部の他端を覆うようにして係止し、固定フード及び移動フードの２つのフードで脚部を挟持する。この際に、固定フード及び／または移動フードの内側に配置された緩衝部材が、リールシートをリールの脚部に十分に固定すると共にリールシート及びリールの脚部が互いに損傷するのを抑えている。ここで、勢いよく移動シート部を固定フードに接近させすぎてしまっても、緩衝部材の他端は固定フード及び／または移動フードに固定されておらず割り溝が形成されているので、緩衝部材が破損してしまうことはない。また、リールをリールシートに固定したまま釣竿をおとしてしまっても、緩衝部材を損傷することもない。
【００１８】
【発明の実施の形態】
［第１実施形態］
以下、本発明の第１実施形態について、図面を参照しつつ説明する。
【００１９】
本発明の第１実施形態を採用したリールシート１は、図１に示すように、釣り用リール２の脚部３を係止して釣り用リール２を竿体４に装着するためのものである。このリールシート１は、竿体４の外周に装着された本体部１０と、移動シート部１１と、ナット部１２とを有している。
【００２０】
本体部１０は、内部に竿体４が貫通して装着される合成樹脂または金属からなる変形筒状部材である。本体部１０は、図２及び図３に示すように、変形筒状の大径部１５と、大径部１５の穂先側から突出する筒状の小径部１６とを有している。
【００２１】
大径部１５の竿元側には脚部３の一端を係止するための固定フード２０と、脚部を載置するための載置部２５とが形成されている。また、大径部１５の竿元側には竿尻グリップ１７が竿体４の外周にはめ込まれている。固定フード２０は大径部１５の竿元側外周において載置部２５の竿元側から上方を覆うように載置部２５と一体的に形成されている。一方、大径部１５の固定フード２０の反対側にはゴム製のシートグリップ２３が固定されている。また、載置部２５の左右両側は、釣り用リール２の脚部３の幅方向への移動を規制するための突起部２６が載置部２５と一体的に形成されている。
【００２２】
小径部１６は、図２〜図４に示すように、外周面の一部に大径部１５より連続して形成され切り欠かれた平坦な載置部２５と、載置部２５の周面に形成された雄ネジ部３１とを有している。また、小径部１６の全長にわたって雄ネジ部３１の左右両側面には、移動シート部１１を回転不能に係止するための係止溝３２が形成されている。
【００２３】
移動シート部１１は、内径が小径部１６の外径にほぼ一致する筒状の部材であって、小径部１６の外周を軸方向に移動可能である。移動シート部１１は、小径部１６の外周を周方向に回転しないように係止溝３２に係止される係止突起３６と、固定フード２０に対向して配置され脚部３の他端を覆いながら係止可能な移動フード３５を有している。移動フード３５は、移動シート部１１が本体部１０に装着された際に載置部２５を覆いかつその間に脚部３の他端側が挿入可能になっている。そして、この脚部３が挿入される移動フード３５の内周面には合成樹脂製の薄板状の緩衝部材１００が固定されている。この緩衝部材１００は、幅方向中央付近に移動フード３５の竿元側から軸方向に形成された割り溝１００ａを有している。この緩衝部材１００は穂先側において移動フード３５に固定されており、割り溝１００ａ側は移動フード３５に固定されておらず遊動自在になっている。
【００２４】
ナット部１２は、図２及び図３に示すように、穂先側ほど小径に形成された円筒型部材である。ナット部１２は、移動シート１１の雄ネジ部３１に螺合可能な雌ねじ部３７と、雌ねじ部３７の外周に配置されるグリップ部３８とを有している。そして、パッキンＰを介して移動シート部１１の穂先側に、雌ねじ部３７が雄ネジ部３１に螺合して配置されている。
【００２５】
このリールシート１には、以下のようにして釣り用リール２を取り付ける。
【００２６】
まず、ナット部１２を緩めて本体部１０との螺合を解除する。そして、リール２の脚部３を載置部２５に載置すると共に脚部３の一端を固定フード２０に挿入して係止させる。次に、移動シート部１１を移動させながらリール２の脚部３の他端を移動フード３５内に挿入する。そして、雌ねじ部３７を雄ネジ部３１に螺合させてナット部１２を本体部１０に締め付けて、ナット部１２及び移動シート部１１を、固定フード２０方向に移動させてゆく。こうして、固定フード２０及び移動フード３５によりリール２の脚部３を挟持して、釣り用リール２をリールシート１に固定する。
【００２７】
ここでは、ナット部１２を勢いよく本体部１０に締め込んで、移動フード３５と脚部３との間に大きな力が加わっても、移動フード３５内に穂先側のみ固定された緩衝部材１００が配置されており、固定されない元竿側に割り溝１００ａが形成されているので、リール２及びリールシート１を互いに傷付けてしまうことはなく、また緩衝部材１００が破損してしまうのも防止できる。
【００２８】
なお、移動フード３５内のみではなく、固定フード２０内にも、同様に割り溝が形成された緩衝部材を配置してもよい。
【００２９】
［第２実施形態］
以下、本発明の第２実施形態について図面を参照しつつ説明する。
【００３０】
図５〜７に示すように、本発明の第２実施形態を採用したリールシート４０は、竿体４の周面に固定された筒状の本体部５１と、本体部５１の穂先側に設けられリール２の脚部３の一端を係止可能な固定フード５２と、固定フード５２から軸方向に伸び脚部３を載置可能な載置部５３と、載置部５３の両側に軸方向に形成された一対の溝部５４と、載置部５３の左右両側面に軸方向に形成されたレール部５５とを有している。そして、載置部５３上にはリール２の脚部３の他端側を係止可能な移動フード５６がレール部５５に沿って軸方向に滑動可能に配置され、この移動フード５６には、載置部５３の任意の位置にロック可能なロック部５７が設けられている。
【００３１】
図６及び７に示すように、固定フード５２は竿元側に開口したフード状の部材であって、リール２の脚部３の一端を覆うようにして係止可能である。フード状に本体部５１から突出しており、フード状内部には、図８に詳しく示すように、合成樹脂製の板状緩衝部材２００が固定されている。この緩衝部材２００は、ポリカーボネイトやポリスチレン等の合成樹脂からなる薄板状部材であって、固定フード５２の内周面上側に合致するようにやや湾曲して形成されている。幅方向両端にそれぞれ軸方向に形成された割り２００ａが設けられている。割り２００ａは、固定フード５２の開口側から軸方向に形成されている。
【００３２】
載置部５３は、固定フード５２に連続して竿元方向に延伸している。固定フード５２から中央付近竿元側までにかけては左右に一対の溝部５４が軸方向に形成されており、この部分の載置部５３は細身に形成された細身部５３ａとなっている。竿元側端部には溝部５４が形成されておらず、細身部５３ａより幅方向に太い太身部５３ｂが形成されており、この太身部５３ｂには孔５３ｃが形成されている。そして、これら細身部５３ａ及び太身部５３ｂは、後述のレール部５５に比べて窪んで形成されており、後述のカバー部材６０を取り付けることでレール部５５と面一になるように形成されている。
【００３３】
レール部５５は、載置部５３の両側にそれぞれ左右対称に形成され、幅方向に窪んで形成され移動フード５６を軸方向に滑動可能に係止する係止窪み５５ａを有している。この係止窪み５５ａの上部は左右方向に突出しており、突出部５５ｂとなっている。
【００３４】
なお、これらのリールシート４０の本体部５１，固定フード５２，載置部５３，溝部５４及びレール部５５は、竿体４の外周の所定の位置に設けられた補強用樹脂層（図示せず）上に射出成型によって一体的に形成されている。
【００３５】
図５に示すように、カバー部材６０は、固定フード５２，載置部５３の細身部５３ａ及び溝部５４を連続して覆うように形成された合成樹脂製の部材である。竿体４の所定の位置に、本体部５１，固定フード５２，載置部５３，溝部５４及びレール部５５が一体射出成型された後に、溝部５４にはめ込まれるようにして接着剤等で接着され固定されている。また、載置部５３の太身部５３ｂには固定板７１が固定される。この固定板７１は、板状の金属製部材であり、表面に形成された係止溝７１ａと、背面に形成され載置部５３の孔５３ｃにはめ込み可能な凸部７１ｂを有している。この固定板７１は、孔５３ｃに凸部７１ｂをはめ込んで所定の位置に固定されている。
【００３６】
移動フード５６はリール２の脚部３の他端を覆うように、穂先側に開口したフード状の部材である。フード状の内部はリール２の脚部３の一端が載置可能になっている。移動フード５６はレール部５５の係止窪み５５ａに係止され、レール部２５に沿って軸方向に滑動可能になっている。また、移動フード５６の竿元側にはロック部５７が設けられており、必要に応じて固定板７１上の固定溝７１ａにロック可能になっている。
【００３７】
このリールシート１には、以下のようにして釣り用リール２を取り付ける。
【００３８】
まず、ロック部５７を解除して、リール２の脚部３を載置部５５に載置すると共に脚部３の一端を固定フード５２に挿入して係止させる。次に、移動シート５６を移動させながらリール２の脚部３の他端を移動フード５６内に挿入する。そして、適当な箇所において移動フード５６を固定して、固定フード５２及び移動フード５６によりリール２の脚部３を挟持して、釣り用リール２をリールシート１に固定する。
【００３９】
ここでは、移動フード５６を勢いよく移動させて、固定フード５２と脚部３との間に大きな力が加わっても、固定フード５２内に穂先側のみ固定された緩衝部材２００が配置されており、また、この緩衝部材２００には移動フード５６側が遊動自在でありかつ割り溝２００ａが形成されているので、リール２及びリールシート１を互いに傷付けてしまうことはなく、緩衝部材２００が破損してしまうのも防止できる。
【００４０】
なお、固定フード５２内のみではなく、移動フード５６内にも、同様に割り溝が形成された緩衝部材を配置してもよい。
【００４１】
［他の実施形態］
（ａ）緩衝部材はその緩衝部材を配置するフードの形状に合わせて適宜変形させてもよい。
（ｂ）固定フード及び移動フードの双方に緩衝部材を配置してもよい。
【００４２】
【発明の効果】
本発明に係るリールシートによれば、リールを十分に安定した状態で竿体に容易に取付可能であり、また、リール取付時にリール及びリールシートを破損することもない。
【図面の簡単な説明】
【図１】本発明の第１実施形態を採用したリールシートの全体図。
【図２】図１の断面図。
【図３】図１の分解斜視図。
【図４】図２のIV−IＶ断面図。
【図５】本発明の第２実施形態を採用したリールシートの全体図。
【図６】図５の側面図
【図７】図５の上面図。
【図８】図６のVIII−VIII断面図。
【符号の説明】
１，４０  リールシート
２  釣り用リール
３  脚部
４  竿体
１０  本体部
１１  移動シート部
１２  ナット部
２０  固定フード
３５  移動フード
５１  本体部
５２  固定フード
５３  載置部
５５  レール部
５６  移動フード
１００，２００  緩衝部材
【図１】
0004305581.tif 000002
【図２】
0004305581.tif 000003
【図３】
0004305581.tif 000004
【図４】
0004305581.tif 000005
【図５】
0004305581.tif 000006
【図６】
0004305581.tif 000007
【図７】
0004305581.tif 000008
【図８】
0004305581.tif 000009